(57)【要約】【課題】自転車用補助椅子等のカバーにロック可能手段を設ける。【解決手段】自転車に取り付ける子供用補助椅子又は荷籠を被覆できる袋状のカバーである。カバーの下方開口周縁部18の適宜２箇所に帯状部材30を延設する。これら帯状部材のそれぞれにワイヤー錠の輪状部を挿通しうる挿通部31を設ける。カバーの下方開口周縁部の全体に渡り挿通部を多数列設してもよい。カバーの下方開口周縁部の全体に渡り伸縮自在のゴム紐が挿通され、開口部が拡縮する。カバーを補助椅子に装着後、帯状部材の挿通部にワイヤー錠の輪状部を挿通して、自転車のロックと共にカバーをもロックできる。【選択図】図１
0003110806.tif 000002
【実用新案登録請求の範囲】
【請求項１】
自転車に取り付ける子供用補助椅子又は荷籠等を被覆できる袋状のカバーにおいて、カバーの下方開口周縁部(18)又はその周辺部分にワイヤー錠等の輪状部を挿通することができる挿通部(31)を設けたことを特徴とする自転車用補助椅子等のカバー。
【請求項２】
請求項１において、カバーの下方開口周縁部(18)の少なくとも２箇所の適宜位置に帯状部材(30, 30)を延設し、かかる帯状部材(30, 30)のそれぞれにワイヤー錠等の輪状部を挿通することができる挿通部(31)を設けたことを特徴とする自転車用補助椅子等のカバー。
【請求項３】
請求項１において、カバーの下方開口周縁部(18)又はその周辺部分の周縁全体に渡り、挿通部を列設したことを特徴とする自転車用補助椅子等のカバー。
【請求項４】
請求項１乃至３の何れかにおいて、カバーの下方開口周縁部の全体に渡り、伸縮自在の紐状部材を挿通して、開口部(15)が拡縮しうるようにしたことを特徴とする自転車用補助椅子等のカバー。  
【考案の詳細な説明】
【技術分野】
【０００１】
本考案は、自転車に取り付けられる子供用補助椅子又は荷籠等のカバーに関するものであって、ワイヤー錠等を介して自転車をロックすると同時にカバー自体をもロックできるものに関する。
【背景技術】
【０００２】
従来から各種の荷籠カバーが市販されているが、最近では自転車に取り付け固定された子供用補助椅子を被覆するカバーの需要が生じ、この子供用補助椅子を上方からすっぽりと被せて使用する袋形状の子供用補助椅子カバーが市販されている。このカバーの下方開口周縁部には、伸縮自在のゴム紐が挿通されており、その開口部が自在に拡縮しうるもので、簡単にその開口部を拡開して補助椅子に上方から被覆することが出来る。
このカバーは、柔軟なシート状体のものからなる袋形状を有しているために、自転車の後部荷台に取り付けるタイプの補助椅子でも、ハンドルに取り付け固定するタイプの補助椅子であっても簡単に取り付けることができるために重宝がられている。
このようなカバーは、補助椅子の不使用時に、例えば子供が補助椅子に座った際に使用していたヘルメットや、その他の各種の荷物をこの補助椅子に載置して荷物置き場として使用した場合に、目隠し又は盗難防止のために、使用されていたものである。
【０００３】
また、この種のカバーは、同時に自転車の荷籠カバーとして、その前籠或いは、後ろの荷台に取り付け固定できるタイプの荷籠のカバーとしても使用することが出来るものである。
しかし、荷籠カバーとして使用する場合には、簡単に取り付けることができるという利点があるものの、簡単に取り外すこともでき、盗難からの防御手段は全く取られておらず、荷籠内の物品の盗難を防止することは全く出来なかった。
この事情は、子供用補助椅子を荷籠として使用した場合に、このカバーを被覆した際も全く同様のことが言え、盗難に対する何の防御手段もなかった。
【０００４】
この点を考慮して、従来から荷籠カバーとして、下記の特許文献を挙げることができる。
特許文献１として、特開２０００−１５３７９１号公報に記載の荷籠カバーは、荷籠に入れる物品が荷籠内からはみ出すような場合でも、荷籠が上方に延長して、その内容量を大きく変更できるものである。
特許文献２の特開平１１−９９９７６号公報に記載の荷籠カバーは、荷籠を自転車に取り付け固定した状態で着脱できるものである。
また特許文献３の特開平１１−７９０２９号公報に記載の荷籠カバーは、簡単に体裁よく装着できるものである。
【特許文献１】特開２０００−１５３７９１号公報
【特許文献２】特開平１１−９９９７６号公報
【特許文献３】特開平１１−７９０２９号公報
【考案の開示】
【考案が解決しようとする課題】
【０００５】
これらの荷籠カバーにおいては、それぞれ蓋部が設けられ、かかる蓋部がスライドファスナー等によって開閉自在とされ、簡単には外部から内部の物品が見通せたり、盗まれたりしないように構成されている。
しかしながら、自転車使用者が自転車から離れた場合には、その蓋部が開放され、内部の物品の盗難を防止することは出来なかった。
そこで、本考案においては、これらの荷籠或いは子供用の補助椅子等のカバーにおいて、自転車の使用者が自転車から少しの間離れた場合においても、かかるカバーが簡単に開放されないもの、或いは簡単に取り外すことの出来ないものを提供することをその課題としている。
更に、この盗難防止手段として、自転車を離れる際に、通常は鍵を掛けておくのが普通であるが、この鍵としてワイヤー錠等の輪状形式の錠を用いた場合に、このワイヤー錠を掛けると同時に上記子供用補助椅子カバー又は荷籠カバーについてもロックできるものを提供することをその課題とする。
【課題を解決するための手段】
【０００６】
上記課題を解決するために、本考案の第１ものは、自転車に取り付ける子供用補助椅子又は荷籠等を被覆できる袋状のカバーにおいて、カバーの下方開口周縁部又はその周辺部分にワイヤー錠等の輪状部を挿通することができる挿通部を設けたことを特徴とする自転車用補助椅子等のカバーである。
本考案の第２のものは、上記第１の考案において、カバーの下方開口周縁部の少なくとも２箇所の適宜位置に帯状部材を延設し、かかる帯状部材のそれぞれにワイヤー錠等の輪状部を挿通することができる挿通部を設けたことを特徴とする自転車用補助椅子等のカバーである。
【０００７】
本考案の第３のものは、上記第１の考案において、カバーの下方開口周縁部又はその周辺部分の周縁全体に渡り、挿通部を列設したことを特徴とする自転車用補助椅子等のカバーである。
本考案の第４のものは、上記第１乃至第３の何れかの考案において、カバーの下方開口周縁部の全体に渡り、伸縮自在の紐状部材を挿通して、開口部が拡縮しうるようにしたことを特徴とする自転車用補助椅子等のカバーである。
【考案の効果】
【０００８】
本考案の第１のものにおいては、カバーの下方開口周縁部又はその周辺部分に設けられた挿通部にワイヤー錠等の輪状部を挿通させ、同時に車輪のスポーク間にも挿通させることにより、自転車のロックと共にカバーをもロックさせることが出来る。
即ち、ワイヤー錠等の輪状部がカバーの挿通部を挿通するために、カバーはワイヤー状の輪状部から分離されることができず、カバーを荷籠又は補助椅子から引き剥がすことは不可能となるのである。
このワイヤー錠等は、上記のように自転車のロックと共にカバーをロックすることが出来るが、勿論のこととして、カバーのみをロックすることも可能である。
また、上記挿通部は、例えば貫通孔によって形成できるが、或いは紐状部材によって輪状に形成して構成することも出来る。要は、ワイヤー錠の輪状部が挿通しうる構造であれば、如何なる構成であってもよい。
【０００９】
本考案の第２のものにおいては、カバーの下方開口周縁部に少なくとも２個の帯状部材を設け、この帯状部材に挿通部を設けているために、この帯状部材は、カバーの下方開口周縁部から更に下方に延長して設けられるために、ワイヤー錠等の輪状部をこれらの挿通部に容易に挿通させ、同時に自転車の車輪のスポーク間にも挿通させることができる。
更に、この帯状部材として、合成繊維製又は合成皮革製のものを用いれば、これらの帯状部材は、補強部材ともなり、ワイヤー錠等の輪状部を挿通させたときに簡単にはその帯状部材が破れたり、破損したりすることがなくなる。
【００１０】
本考案の第３のものにおいては、カバーの下方開口周縁部又はその周辺部分の周縁全体に渡り、挿通部を列設しているために、カバーを荷籠又は補助椅子に被覆した後、ワイヤー錠等の輪状部を何れの挿通部にも挿通させることができ、その任意の挿通部を選んで輪状部を挿通させることができる。そのため、カバーの補助椅子等への被覆する向きを考慮することなく、何れの向きでカバーを被覆しても、容易にワイヤー錠等の輪状部を挿通させることができる。
【００１１】
本考案の第４のものにおいては、カバーの下方開口周縁部の全体に渡り、伸縮自在の紐状部材、例えばゴム紐等を挿通しているために、この開口部を開き簡単に補助椅子又は荷籠にカバーすることができ、カバーした後はその開口周縁部が補助椅子や荷籠の下方周縁部に密着するために、風によりバタつくこともない。
他方、錠を外して、カバーを取り外すときにも、下方開口縁部は容易に拡張するために簡単に取り外すことができるものである。
【考案を実施するための最良の形態】
【００１２】
以下、添付の図面と共に、本考案の最良の実施形態について説明する。
図１は、本考案の実施形態に係る子供用補助椅子のカバーについての下方より見た全体斜視図である。
このカバー１０は、その本体部１１が略直方体形状の下方が開口した略袋形状を有しており、その材質はアクリルコーティングが施されたポリエステル生地からなるものである。
このカバー１０は、自転車の後部荷台に固定される背もたれ部の高い形状の子供用補助椅子を被覆できるように、後部側面１２の高さが前部側面１３の高さよりも高く形成されている。従って、上部側面１４は、前方から後方に向かって徐々に高さが高く形成されている。
【００１３】
本体部１１の下面は、開口する開口部１５となっており、開口部１５の全周縁部には、伸縮可能な紐状部材としてのゴム紐が挿通できる挿通部１６が設けられている。この挿通部１６内に伸縮自在のゴム紐が挿通されるのである。
図１においては、この挿通部１６が形成されている開口周縁部１８を判り易くするために、拡張した状態を図示しており、つまりゴム紐を未だ挿通させていない状態として図示している。
挿通部１６にゴム紐が挿通されると、この開口部１５は、収縮して小さな円形の開口部を形成することとなる。
【００１４】
本体部１１の側面部２１、２２のそれぞれの開口周縁部１８の略中央部には、帯状部材３０が縫着されている。この帯状部材３０は、適宜長さの合成繊維製ベルトからなり、その下方部には貫通孔からなる挿通部３１が形成されている。補強のために挿通部３１の周縁部には、プラスチック製のハトメ部材が設けられている。ハトメ部材は金属製であってもよい。
このように、帯状部材３０は、本体部１１の開口周縁部１８から更に下方に延長するように形成されているために、その挿通部３１は、本体部１１の下方に位置することとなる。
この挿通部３１にワイヤー錠等の輪状部が挿通することとなる。
【００１５】
図２は、本考案に係るカバーを自転車の後部荷台に固定された背もたれの高い子供用補助椅子に装着した状態の斜視説明図である。
装着方法は以下の通りである。
本体部１１の下方開口周縁部１８を拡張して、図には明瞭に表われていないが、子供用補助椅子５０の上方から覆い被せる。
開口周縁部１８にはゴム紐が挿通されているために、本体部１１は、簡単に補助椅子５０及びそれが固定されている荷台を被覆した後、開口周縁部１８が収縮して簡単に装着される。
【００１６】
この状態で、帯状部材３０、３０は、荷台の下方に垂れ下がった状態となる。この状態で、ワイヤー錠６０の輪状部６２（二点鎖線で示す）の先端を一方の帯状部材３０に設けられている挿通部３１に挿通させ、次に車輪６５のスポーク６６間に挿通し、更に他方の帯状部材３０の挿通部３１に挿通させ、最後にその先端をワイヤー錠６０のロック部６３に差し込み施錠することができる。
このようにして、ワイヤー錠６０を利用して、自転車のロックと同時に子供用補助椅子カバーをも簡単にロックすることができるのである。
【００１７】
以上、一実施形態について説明したが、以下の通り種々設計変更可能である。
カバー本体部の形状、大きさ、材質等は、全く自由に必要に応じて種々変更可能である。
本体部の後部側面と前部側面の高さを同一として、全体を略直方体形状にするのも自由である。
荷台に固定する通常の荷籠カバーとしては、それがほぼ略直方体形状をしているために、このような直方体形状であってよい。
開口周縁部に設けた帯状部材は、任意のものであって、これを設けずに実施することも可能である。即ち、本体部の開口周縁部自体に挿通部を形成してもよい。但し、この形態は強度の面で多少問題もあるが、金属製のハトメ部材等を利用して補強することができる。
更に、この帯状部材の代わりに、単に丈夫な紐を輪状にして本体部の下方開口周縁部に縫着することによって挿通部を形成することも出来る。この輪状紐部も最低２個あればよいが、多数列設して設けてもよい。
また、帯状部材に設けた貫通孔としての挿通部は、帯状部材に更に紐を輪状に形成して縫着して挿通部を形成することもできる。
【００１８】
開口周縁部に設ける挿通部の数についても自由に設定することができる。この挿通部は、最低１個あればワイヤー錠等の輪状部を挿通させて、ロックすることができる。
また、開口周縁部に多数の挿通部を一定間隔で多数設けることも可能である。この場合には、カバー本体部の向きが多少ずれて装着されたとしても、何れかの挿通部を選択してワイヤー錠の輪状部を挿通させることができる。特に、略直方体形状のカバーの場合には有効となる。
同様に、帯状部材も開口周縁部に一定間隔に多数設けて実施することもできる。
ワイヤー錠としては各種のものがあり、現在市販されているＵ字形状の金属製のものでも使用することができ、要は、輪状部によって挿通部を挿通させることのできるタイプの錠であれば、どのような種類のものでも使用可能である。
【図面の簡単な説明】
【００１９】
【図１】本考案の実施形態に係る子供用補助椅子カバーについての下方より見た全体斜視図である。
【図２】本考案の実施形態に係るカバーを子供用補助椅子に装着した状態の斜視説明図である。
【符号の説明】
【００２０】
１０  子供用補助椅子カバー
１１  本体部
１５  開口部
１８  開口周縁部
３０  帯状部材
３１  挿通部
【図１】
0003110806.tif 000003
【図２】
0003110806.tif 000004